【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
第１の空間の複数の入力デジタルデータブロックの、第２の空間の複数の出力デジタルデータブロックへのランダムプロジェクションを計算する方法であって、
入力デジタルデータ（４）の少なくともｎビット（Ｉ１...Ｉｎ）により各々が構成される前記複数の入力デジタルブロックを電子部品から受信し、
電磁ビーム源から、電磁ビームを受信し、
各入力デジタルデータブロックに対して、
入力デジタルデータの前記少なくともｎビットを、前記電磁ビームの、基準となる少なくとも１つの物理特性に関連して、ｐ同時変調（Ｍ１，...Ｍｐ）に変換し、
電磁ビーム変調器により、前記電磁ビームの波面上のｐ個の横断位置において、前記ｐ同時変調を適用することによって、変調電磁ビームを生成し、
前記ｐ同時変調（Ｍ１...Ｍｐ）を備える前記変調電磁ビーム（１５）を、多重散乱媒体を備える電磁散乱手段を通した多重電磁散乱により散乱させて、散乱電磁ビーム（１９）を生成し
前記散乱電磁ビーム（１９）を少なくともｍビット（Ｏ１...Ｏｍ）の出力デジタルデータ（５）により構成される出力デジタルデータブロックに変換し、前記出力デジタルデータの前記少なくともｍビットは、前記散乱電磁ビームを受けるように構成された受信手段のセンサ領域のｑ個の個別位置で取得され、
前記少なくともｍビット（Ｏ１...Ｏｍ）の出力デジタルデータ（５）を電子部品に提供する方法。
【請求項２】
請求項１に記載の方法であって、
前記変調電磁ビーム（１５）は、コヒーレント電磁放射のビームである方法。
【請求項３】
請求項１に記載の方法であって、
前記変調電磁ビーム（１５）の前記ｐ同時変調（Ｍ１...Ｍｐ）は、前記変調電磁ビームの基準となる振幅、強度、位相又は偏光に関して、前記変調電磁ビーム（１５）の振幅、強度、位相及び偏光の少なくとも１つの変調を備える方法。
【請求項４】
請求項１乃至３のいずれか１項に記載の方法であって、
前記変調電磁ビーム（１５）を散乱させることは、受動的散乱手段により行われる方法。
【請求項５】
請求項１乃至４のいずれか１項に記載の方法であって、
前記変調電磁ビーム（１５）を散乱させることは、
前記透過散乱手段の入射面（１０ａ）を用いて前記変調電磁ビームを受信することと、
前記入射面を前記透過散乱手段の放出面（１０ｂ）から隔てる前記透過散乱手段の散乱体（１０ｃ）を用いて複数の電磁散乱を実行することと、
前記透過散乱手段の前記放出面（１０ｂ）を用いて前記散乱電磁ビーム（１９）を送信することと
を備える方法。
【請求項６】
請求項１乃至５のいずれか１項に記載の方法であって、
前記第２の空間の次元は前記第１の空間の次元より大きい方法。
【請求項７】
デジタルデータ処理プログラムを実装する方法であって、
請求項１乃至６の何れか１項に記載の、第１の空間の複数の入力デジタルデータブロックの、第２の空間の複数の出力デジタルデータブロックへのランダムプロジェクションを計算する方法を備え、
前記デジタルデータ処理アルゴリズムは、統計的機械学習、ディープ・ニューラル・ネットワーク、エクストリーム・ラーニング・マシン、ランダム化数値線形代数アルゴリズム、及び局所性鋭敏型ハッシュアルゴリズムの何れかである方法。
【請求項８】
第１の空間の複数の入力デジタルデータブロックの、第２の空間の複数の出力デジタルデータブロックへのランダムプロジェクションを計算するように構成されたデジタルデータ混合装置（２）であって、
少なくともｎビット（Ｉ１...Ｉｎ）の入力デジタルデータ（４）により各々構成される前記複数の入力データブロックを電子部品から受信する入力手段（８）と、
電磁ビームを生成する電磁ビーム源と、
入力デジタルデータの前記少なくともｎビット（Ｉ１...Ｉｎ）を受信し、前記電磁ビームの基準となる物理特性に関連して、前記電磁ビームの歯面上のｐ個の横断位置において、前記ｐ同時変調を適用することによってｐ同時変調（Ｍ１...Ｍｐ）して変調電磁ビーム（１５）を生成するように構成された電磁ビーム変調器と、
前記ｐ同時変調（Ｍ１...Ｍｐ）を備える前記変調電磁ビーム（１５）を、多重電磁散乱により散乱させて散乱電磁ビーム（１９）を生成するための、多重散乱媒体を備えた電磁散乱手段（１０）と、
前記散乱電磁ビーム（１９）を、少なくともｍビット（Ｏ１...Ｏｍ）の出力デジタルデータ（５）から構成される出力データブロックに変換させるための受信手段（１１）であって、前記出力デジタルデータの前記少なくともｍビットは当該受信手段（１１）のセンサ領域のｑ個の個別位置で取得される受信手段（１１）と、
前記少なくともｍビット（Ｏ１...Ｏｍ）の出力デジタルデータ（５）を電子部品に提供するための出力手段（１２）と、
を備えるデジタルデータ混合装置。
【請求項９】
請求項１０に記載のデジタルデータ混合装置であって、
前記変調電磁ビーム（１５）は、コヒーレント電磁放射のビームであるデジタルデータ混合装置。
【請求項１０】
請求項８及び９のいずれか１項に記載のデジタルデータ混合装置であって、
前記変調電磁ビーム（１５）の前記ｐ同時変調（Ｍ１...Ｍｐ）は、前記変調電磁ビームの基準となる振幅、強度、位相又は偏光に関して、前記変調電磁ビーム（１５）の振幅、強度、位相及び偏光の少なくとも１つの変調を備えるデジタルデータ混合装置。
【請求項１１】
請求項８に記載のデジタルデータ混合装置であって、
前記電磁ビーム変調器（１８）は空間光変調器であり、該空間光変調器はマイクロミラー又は液晶を備え、前記電磁ビーム源（１６）はレーザを備えるデジタルデータ混合装置。
【請求項１２】
請求項８乃至１１のいずれか１項に記載のデジタルデータ混合装置であって、
前記電磁散乱手段（１０）は、受動的散乱手段であるデジタルデータ混合装置。
【請求項１３】
請求項８乃至１２のいずれか１項に記載のデジタルデータ混合装置であって、
前記電磁散乱手段（１０）は、前記変調電磁ビーム（１５）を受信する入射面（１０ａ）と前記散乱電磁ビーム（１９）を送信する放出面（１０ｂ）とを備える透過散乱手段であって、前記入射面（１０ａ）及び前記放出面（１０ｂ）は、複数の電磁散乱を実行可能な散乱体（１０ｃ）により隔てられているデジタルデータ混合装置。
【請求項１４】
請求項８乃至１３のいずれか１項に記載のデジタルデータ混合装置であって、
前記電磁散乱手段（１０）は、少なくとも２分の間安定したままであるデジタルデータ混合装置。
【請求項１５】
請求項８乃至１４のいずれか１項に記載のデジタルデータ混合装置であって、
前記受信手段（１１）は、イメージセンサ（２０）を備えるデジタルデータ混合装置。
【請求項１６】
請求項８乃至１５のいずれか１項に記載のデジタルデータ混合装置であって、
前記第２の空間の次元は前記第１の空間の次元よりも大きいデジタルデータ混合装置。。
【請求項１７】
デジタルデータ処理プログラムを実装するためのデジタルデータ処理システムであって、
前記デジタルデータ処理アルゴリズムは、統計的機械学習、ディープ・ニューラル・ネットワーク、エクストリーム・ラーニング・マシン、ランダム化数値線形代数アルゴリズム、及び局所性鋭敏型ハッシュアルゴリズムの何れかであり、
請求項８乃至１６の何れか１項に記載のデジタルデータ混合装置を備えるデジタルデータ処理システム。
【請求項１８】
デジタルデータ処理システム（１）であって、
請求項８乃至１６のいずれか１項に記載の、少なくとも１つのデジタルデータ混合装置（２）と、
前記入力デジタルデータ（４）を前記少なくとも１つのデジタルデータ混合装置（２）に提供するため、及び前記少なくとも１つのデジタルデータ混合装置（２）から前記出力デジタルデータ（５）を受信するための少なくとも１つの独立電子部品（３）と、
を備えるデジタルデータ処理システム。
【請求項１９】
請求項１８に記載のデジタルデータ処理システムであって、
請求項８乃至１６のいずれか１項に記載の第１のデジタルデータ混合装置（２ａ）と、
請求項８乃至１６のいずれか１項に記載の第２デジタルデータ混合装置（２ｂ）と、を備え、前記第１デジタルデータ混合装置（２ａ）及び前記第２デジタルデータ混合装置（２ｂ）は、前記第２デジタルデータ混合装置（２ｂ）の前記入力デジタルデータ（４）が前記第１デジタルデータ混合装置（２ａ）からの前記出力デジタルデータ（５）に基づくように、直接又は相互接続電子部品（３ａ）を介して互いに接続されるデジタルデータ処理システム。
【手続補正２】
【補正対象書類名】明細書
【補正対象項目名】発明の名称
【補正方法】変更
【補正の内容】
【発明の名称】ランダムプロジェクションを計算する方法、デジタルデータ処理プログラムを実装する方法、デジタルデータ混合装置及びデジタルデータ処理システム
【手続補正３】
【補正対象書類名】明細書
【補正対象項目名】０００９
【補正方法】変更
【補正の内容】
【０００９】
この目的のために、本発明によれば、第１の空間の複数の入力デジタルデータブロックの、第２の空間の複数の出力デジタルデータブロックへのランダムプロジェクションを計算する方法であって、
入力デジタルデータ（４）の少なくともｎビット（Ｉ１...Ｉｎ）により各々が構成される前記複数の入力デジタルブロックを電子部品から受信し、
電磁ビーム源から、電磁ビームを受信し、
各入力デジタルデータブロックに対して、
入力デジタルデータの前記少なくともｎビットを、前記電磁ビームの、基準となる少なくとも１つの物理特性に関連して、ｐ同時変調（Ｍ１，...Ｍｐ）に変換し、
電磁ビーム変調器により、前記電磁ビームの波面上のｐ個の横断位置において、前記ｐ同時変調を適用することによって、変調電磁ビームを生成し、
前記ｐ同時変調（Ｍ１...Ｍｐ）を備える前記変調電磁ビーム（１５）を、多重散乱媒体を備える電磁散乱手段を通した多重電磁散乱により散乱させて、散乱電磁ビーム（１９）を生成し
前記散乱電磁ビーム（１９）を少なくともｍビット（Ｏ１...Ｏｍ）の出力デジタルデータ（５）により構成される出力デジタルデータブロックに変換し、前記出力デジタルデータの前記少なくともｍビットは、前記散乱電磁ビームを受けるように構成された受信手段のセンサ領域のｑ個の個別位置で取得され、
前記少なくともｍビット（Ｏ１...Ｏｍ）の出力デジタルデータ（５）を電子部品に提供する方法が提供される。
【手続補正４】
【補正対象書類名】明細書
【補正対象項目名】００１２
【補正方法】変更
【補正の内容】
【００１２】
本発明はまた、第１の空間の複数の入力デジタルデータブロックの、第２の空間の複数の出力デジタルデータブロックへのランダムプロジェクションを計算するように構成されたデジタルデータ混合装置（２）であって、
少なくともｎビット（Ｉ１...Ｉｎ）の入力デジタルデータ（４）により各々構成される前記複数の入力データブロックを電子部品から受信する入力手段（８）と、
電磁ビームを生成する電磁ビーム源と、
入力デジタルデータの前記少なくともｎビット（Ｉ１...Ｉｎ）を受信し、前記電磁ビームの基準となる物理特性に関連して、前記電磁ビームの歯面上のｐ個の横断位置において、前記ｐ同時変調を適用することによってｐ同時変調（Ｍ１...Ｍｐ）して変調電磁ビーム（１５）を生成するように構成された電磁ビーム変調器と、
前記ｐ同時変調（Ｍ１...Ｍｐ）を備える前記変調電磁ビーム（１５）を、多重電磁散乱により散乱させて散乱電磁ビーム（１９）を生成するための、多重散乱媒体を備えた電磁散乱手段（１０）と、
前記散乱電磁ビーム（１９）を、少なくともｍビット（Ｏ１...Ｏｍ）の出力デジタルデータ（５）から構成される出力データブロックに変換させるための受信手段（１１）であって、前記出力デジタルデータの前記少なくともｍビットは当該受信手段（１１）のセンサ領域のｑ個の個別位置で取得される受信手段（１１）と、
前記少なくともｍビット（Ｏ１...Ｏｍ）の出力デジタルデータ（５）を電子部品に提供するための出力手段（１２）と、
を備える。